(57)【要約】【課題】  ヤエン本体には道糸同様の角度があるのに対し、烏賊は水平の姿勢を保っていることが多く、掛け針と烏賊の間に空間を生じ掛け針が掛からず捕獲率が低いという課題が従来のヤエンにはあったが、これを解決した捕獲率の高いヤエンを提供する。【解決手段】  主軸２と掛け針１及び道糸通し部である支柱を本体とし、そこに掛け針１０を有す両翼軸１１と両翼軸を押さえ込む両翼軸仮止め金具１２からなる跳ね上げ部と、道糸を通すレバー３とレバー回転軸４及び水圧板５からなる跳ね上げ発動部を取り付けた構造を特徴とするヤエン。烏賊に到達すると小さな衝撃でもレバー３が転倒し、両翼軸１１が跳ね上がり掛け針１０が烏賊を捕らえる。また、レバー３下部に取り付けた水圧板５により、滑降時及び到達後のトラブルを軽減する構造を特徴とする。【選択図】図５
2008263932.tif 000002
【特許請求の範囲】
【請求項１】
主軸２と掛け針１及び道糸通し部である前方支柱６と後方支柱８を本体とし、そこに掛け針１０を有す両翼軸１１と両翼軸１１を押さえ込む両翼軸仮止め金具１２からなる跳ね上げ部と、道糸を通す可動式のレバー３と筒状のレバー回転軸４及び水圧板５からなる跳ね上げ発動部を取り付けた烏賊釣り用ヤエン。前方支柱６と後方支柱８及びレバー３上部に道糸を通し滑降させ、烏賊のところに到達するとレバー３上部がぶつかり、レバー３上部は後方に、レバー３下部は前方に転倒し、跳ね上げ部の両翼軸仮止め金具１２が外れ、押さえられていた両翼軸１１が勢いよく跳ね上がり、両翼軸１１の掛け針１０が烏賊を引っ掛けて捕らえるヤエン。
【請求項２】
レバー３下部に水圧板５を取り付けることにより、滑降時には前方より水圧を受け、烏賊到達前にレバー３が両翼軸仮止め金具より外れ両翼軸１１が跳ね上がってしまうというトラブルを防ぎ、烏賊到達後は烏賊を引き寄せてくる動作で、水圧板５は後方より水圧を受け、レバー３が転倒し、両翼軸仮止め金具１２が外れ、押さえられていた両翼軸１１が勢いよく跳ね上がるヤエン。
【請求項３】
両翼軸１１の掛け針１０が烏賊を捕らえ、前方支柱６を支点に烏賊と引き合いになった時、主軸２が跳ね上がり、主軸２の掛け針１が烏賊を捕らえるヤエン。
【発明の詳細な説明】
【技術分野】
【０００１】  本発明は烏賊釣りに用いられるヤエンに関する。ヤエン釣りは道糸の先に餌魚を付け海中で泳がせ、烏賊（主にアオリイカ）が餌魚に食いついてから、ヤエンと呼ばれる道具を道糸に引っ掛け、烏賊のところまで滑降させ、ヤエンの掛け針で引っ掛けて捕獲するという釣法である。ヤエン釣りはアタリは多いものの捕獲できる確立が低く、素人には難しいとされてきた釣り方であるが、本発明の烏賊到達と同時に掛け針が跳ね上がるヤエンを用いることにより、ヤエン釣りを簡単にすることができる。
【背景技術】
【０００２】  従来の一般的なヤエンを図４に示す。同図のヤエン１３は前方支柱６と後方支柱８に道糸を通し、烏賊イのところまで滑降させ、掛け針１４で引っ掛けて烏賊イを捕獲するものである。ヤエン釣りの釣果は、ヤエンの形状に負うところが大きく、様々な形状のヤエンが提案されている。
【発明の開示】
【発明が解決しようとする課題】
【０００３】  しかし図４に示すように、ヤエンを滑降させる道糸ウには角度があり、ヤエン本体も同様の角度がつくのに対し、烏賊イはほぼ水平の姿勢を保っていることが多く、掛け針１４と烏賊イの間に空間Ｃを生じ掛け針が掛からず捕獲率が低いという課題があった。この課題を道糸ウを緩める事により解決しようとしても、ヤエン１３が後退する、掛け針１４が烏賊イと違った方向に向う等の問題があり、捕獲率は低かった。【０００４】  前述した掛け針と烏賊の間に空間を生じ捕獲率が低いという課題を解決しようとしたヤエンの形状も見られる。図４の１５部分を中折れ式（可動式）にした形状が代表的なものであるが、この形状では烏賊到達時の小さな衝撃で掛け針が跳ね上がることはなく課題解決には至らなかった。【０００５】  例えば、下記特許文献１のように、烏賊に掛け針の一部が掛かってから、他の掛け針が跳ね上がる形状も見られるが、本課題の直接的解決には至っていない。
【特許文献１】  特許公開２００６−０４２６６０
【０００６】  また、下記特許文献２は、烏賊を挟むことで確実に捕獲しようとするものであるが、これも上側の掛け針が掛かってから下側の掛け針が跳ね上がり烏賊を挟む形状であって、本課題の直接的解決には至っていない。
【特許文献２】  特許公開２００７−０４４０１９
【課題を解決するため手段】
【０００７】  上記課題を解決するために、本発明は次のような構成を有する。
図１及び図３に示すように、本ヤエンは主軸２と掛け針１及び前方支柱６と後方支柱８を本体とし、両翼軸１１と掛け針１０及び両翼軸仮止め金具１２からなる跳ね上げ部と、レバー３とレバー回転軸４及び水圧板５からなる跳ね上げ発動部で構成する。
【０００８】  図１及び図５は、本ヤエンの滑降時の形態を示したものである。餌魚アに烏賊イが食い付き十分に食わせ警戒心を解いた後、本ヤエンのレバー３下部先端を両翼軸仮止め金具１２に差し込み、前方支柱６と後方支柱８及びレバー３上部に道糸ウを通し、海中の烏賊イ方向に滑降させる。この時、レバー３に道糸ウはほとんど触れていない。
【０００９】  図２及び図６は、本ヤエンが烏賊に到達した時の形態を示したものである。本ヤエンが道糸ウに沿って烏賊イに到達した時、まずレバー３上部がぶつかる。この小さな衝撃で、レバー回転軸４を中心にレバー３上部は後方に、レバー３下部は前方に転倒する。
【００１０】  レバー３が転倒することにより、跳ね上げ部の両翼軸仮止め金具１２が外れ、押さえられていた両翼軸１１が勢いよく跳ね上がり、掛け針１０が烏賊イを引っ掛けて捕らえる。
【００１１】  水中では水の抵抗を受けるため、ヤエンの滑降速度は極めて遅くなり、到達時の衝撃も非常に小さいものとなる。よって、到達時の小さな衝撃でも確実に掛け針１０を跳ね上げさせる本構造は最良と言える。前述した課題の烏賊と掛け針の空間を埋め、烏賊を確実に捕らえる。
【００１２】  次に水圧板５の効果について説明する。水圧板５は図５の前方からの水圧Ａに示すように、滑降時には前方より水圧を受け、レバー３が両翼軸仮止め金具１２より外れ、烏賊イ到達前に両翼軸１１が跳ね上がってしまうというトラブルを防ぐ効果がある。
【００１３】  また、烏賊イ到達時の衝撃が極端に小さく、レバー３が転倒せず、跳ね上げが発動しなかった場合においても効果を発揮する。図５の後方からの水圧Ｂに示すように、烏賊イを引き寄せてくる動作で、水圧板５は後方より水圧を受け、その力によりレバー３が転倒し、一連の跳ね上げが発動され烏賊イを捕らえる。
【００１４】  図７、図８、図９は実際に試作した本ヤエンを用い、その一連の動作を示したものである。レバー３が転倒し両翼軸仮止め金具１２から外れ、両翼軸１１が跳ね上がり、掛け針１０が烏賊イを捕らえる状況を示す。
【００１５】  また、図９で示すように、両翼軸１１の先端の掛け針１０が烏賊を捕らえ、前方支柱６を支点に烏賊と引き合いになった時、主軸２が跳ね上がる。この動作で主軸の掛け針１が烏賊に刺さり、更に確実に烏賊を捕らえ、バラシを軽減する。
【発明の効果】
【００１６】  本発明によれば、烏賊到達時の小さな衝撃で両翼軸の掛け針１０を跳ね上げ、高確率に烏賊を掛けることができる。
【００１７】  レバー３に水圧板５を設けることにより、滑降時に跳ね上げが発動することを防止し、烏賊到達後は跳ね上げを発動させやすく、トラブルが非常に少ない。
【００１８】  また、両翼軸の掛け針１０が烏賊を捕らえ烏賊と引き合いになれば、主軸の掛け針１が跳ね上がり烏賊に刺さりバラシを軽減できる。
【００１９】  上記の効果により、特別なテクニックを用いずとも捕獲率が極めて高く、バラシやトラブルも非常に少ない、従来にないヤエンを提供できる。これにより、素人には難しいとされてきたヤエン釣りを簡単に楽しむことが可能となる。
【発明を実施するための最良の形態】
【００２０】  以下、本発明を実施するための最良の形態の一例について説明する。
図１及び図３に示すように、本ヤエンは主軸２、主軸７と掛け針１及び前方支柱６と後方支柱８、錘９を本体とし、両翼軸１１と掛け針１０及び両翼軸仮止め金具１２からなる跳ね上げ部と、レバー３とレバー回転軸４及び水圧板５からなる跳ね上げ発動部で構成する。【００２１】  以下、図３の本ヤエン分解斜視図を用い説明する。主軸２と主軸７を溶接し、先端に掛け針１を溶接し、道糸通し部である前方支柱６と後方支柱８を溶接し、バランス調整用の錘９を尻部に溶接し、これを本体とする。【００２２】  両翼軸１１を成形し、先端に掛け針１０を溶接する。両翼軸１１の中程に両翼軸仮止め金具１２を溶接し、これを跳ね上げ部とする。【００２３】  筒状のレバー回転軸４にレバー３を通し成形し、レバー３下部に水圧板５を溶接し、これを跳ね上げ発動部とする。【００２４】  作製した本体に、跳ね上げ部と跳ね上げ発動部を溶接する。完成後の形態は図１、図２、図５、図６に示す。【００２５】  本ヤエンを使用する時は、図５に示すように、レバー３下部先端を両翼軸仮止め金具１２に差し込み、前方支柱６と後方支柱８及びレバー３上部に道糸ウを通し、烏賊のところまで滑降させればよい。【００２６】  本ヤエンが道糸ウに沿って烏賊イに到達するとレバー３上部がぶつかる。この小さな衝撃で、レバー回転軸４を中心にレバー３上部は後方に、レバー３下部は前方に転倒し、跳ね上げ部の両翼軸仮止め金具１２が外れ、押さえられていた両翼軸１１が勢いよく跳ね上がり、掛け針１０が烏賊イを引っ掛けて捕らえる。【００２７】  レバー３下部に取り付けた水圧板５は、図５の前方からの水圧Ａに示すように、滑降時には前方より水圧を受け、レバー３が両翼軸仮止め金具１２より外れ、烏賊イ到達前に両翼軸１１が跳ね上がってしまうというトラブルを防ぐ効果がある。また、烏賊イ到達時の衝撃が極端に小さく、レバー３が転倒せず、跳ね上げが発動しなかった場合においても、図５の後方からの水圧Ｂに示すように、烏賊イを引き寄せてくる動作で、水圧板５は後方より水圧を受け、その力によりレバー３が転倒し、一連の跳ね上げが発動され烏賊イを捕らえる効果を有す。【００２８】  また、図９で示すように、両翼軸１１の先端の掛け針１０が烏賊を捕らえ、前方支柱６を支点に烏賊と引き合いになった時、主軸２が跳ね上がり、主軸の掛け針１が烏賊に刺さり、更に確実に烏賊を捕らえ、バラシを軽減する。
【図面の簡単な説明】
【００２９】
【図１】本ヤエンの滑降時の形態を示す斜視図。
【図２】本ヤエンが烏賊に到達し、レバー３が転倒し、両翼軸仮止め金具１２が外れ、両翼軸１１と両翼軸の掛け針１０が跳ね上がった形態を示す斜視図。
【図３】本ヤエンの分解斜視図。
【図４】従来の一般的なヤエンが烏賊に到達した形態を示す側面図。
【図５】本ヤエンの滑降時の形態を示す側面図。
【図６】本ヤエンが烏賊に到達し、レバー３が転倒し、両翼軸仮止め金具１２が外れ、両翼軸１１と両翼軸の掛け針１０が跳ね上がった形態を示す側面図。
【図７】本ヤエン試作品の滑降時の形態を示す側面写真。
【図８】本ヤエン試作品が烏賊に到達し、レバー３が転倒し、両翼軸仮止め金具１２が外れ、両翼軸１１と両翼軸の掛け針１０が跳ね上がった形態を示す側面写真。
【図９】本ヤエン試作品の両翼軸の掛け針１０が烏賊を捕らえ、前方支柱６を支点に引き合いとなり、主軸２と主軸の掛け針１が跳ね上がった形態を示す側面写真。
【符号の説明】
【００３０】      １  掛け針（主軸）
２  主軸
３  レバー
４  レバー回転軸（筒状金具）
５  水圧板
６  前方支柱（道糸通し部）
７  主軸
８  後方支柱（道糸通し部）
９  錘
１０  掛け針（両翼軸）
１１  両翼軸
１２  両翼軸仮止め金具
１３  従来のヤエン本体
１４  従来のヤエン掛け針
ア  餌魚
イ  烏賊
ウ  道糸
Ａ  前方からの水圧（ヤエン滑降時）
Ｂ  後方からの水圧（烏賊引き寄せ時）
Ｃ  空間
【図１】
2008263932.tif 000003
【図２】
2008263932.tif 000004
【図３】
2008263932.tif 000005
【図４】
2008263932.tif 000006
【図５】
2008263932.tif 000007
【図６】
2008263932.tif 000008
【図７】
2008263932.tif 000009
【図８】
2008263932.tif 000010
【図９】
2008263932.tif 000011